(57)【要約】【課題】従来の通信機能を有するデジタルカメラにおいて、デジタルカメラで取得した画像データを送付して蓄積する領域については考慮されておらず、データ送信後、簡単にアクセスすることが困難である。【解決手段】ユーザ識別子保持装置と電子機器とサーバ装置を有する情報処理システムであって、電子機器は、情報を外部から取得し、ユーザ識別子保持装置からユーザ識別子を受信し、保持している電子機器識別子とユーザ識別子と情報を有するユーザ取得情報をサーバ装置に送信し、サーバ装置は、電子機器からユーザ取得情報を受信し、ユーザ取得情報が有する電子機器識別子とユーザ識別子に基づいて、ユーザ取得情報が有する情報を蓄積する領域を決定し、当該情報を当該領域に蓄積する情報処理システムにより、ユーザの領域の領域に情報が蓄積され、後で容易にアクセスできる。【選択図】　図１
2004139498.tif 000002
【特許請求の範囲】
【請求項１】
ユーザ識別子保持装置と電子機器とサーバ装置を有する情報処理システムであって、
前記ユーザ識別子保持装置は、
ユーザを識別する情報であるユーザ識別子を保持しているユーザ識別子保持部と、
前記ユーザ識別子を送信するユーザ識別子送信部を具備し、
前記電子機器は、
当該電子機器を識別する情報である電子機器識別子を保持している電子機器識別子保持部と、
情報を外部から取得する情報取得部と、
前記ユーザ識別子保持装置からユーザ識別子を受信するユーザ識別子受信部と、前記電子機器識別子と前記ユーザ識別子と前記情報を有するユーザ取得情報を前記サーバ装置に送信するユーザ取得情報送信部を具備し、
前記サーバ装置は、
前記電子機器からユーザ取得情報を受信するユーザ取得情報受信部と、
前記ユーザ取得情報が有する電子機器識別子とユーザ識別子に基づいて、前記ユーザ取得情報が有する情報を蓄積する領域を決定し、当該情報を当該領域に蓄積する情報蓄積部を具備する情報処理システム。
【請求項２】
情報出力装置をさらに有する請求項１記載の情報処理システムであって、
前記情報出力装置は、
前記電子機器または／および前記ユーザ識別子保持装置から電子機器識別子または／およびユーザ識別子を受信する識別情報受信部と、
前記ユーザ識別子または／および前記電子機器識別子に基づいて、前記サーバ装置から情報を取得する情報受信部と、
前記情報受信部が取得した情報を出力する情報出力部を具備し、
前記サーバ装置は、
前記ユーザ識別子または／および前記電子機器識別子に基づいて情報を選択し、当該情報を前記情報出力装置に送信する情報送信部をさらに具備する請求項１記載の情報処理システム。
【請求項３】
前記情報出力装置は、
前記電子機器または／および前記ユーザ識別子保持装置が近づいたことを検出する検出部をさらに具備し、
前記検出部が前記電子機器または／および前記ユーザ識別子保持装置が近づいたことを検出した場合に、前記識別情報受信部は、前記ユーザ識別子または／および前記電子機器識別子を受信する請求項２記載の情報処理システム。
【請求項４】
情報出力装置をさらに有する請求項１記載の情報処理システムであって、
前記ユーザ識別子保持装置または／および前記電子機器は、ユーザ識別子または／および電子機器識別子を前記サーバ装置に送信し、
前記サーバ装置は、
前記ユーザ識別子保持装置または／および前記電子機器から、ユーザ識別子または／および電子機器識別子を受信する識別情報受信部と、
前記ユーザ識別子または／および電子機器識別子に基づいて情報を選択し、当該情報を前記情報出力装置に送信する情報送信部をさらに具備し、
前記情報出力装置は、
前記サーバ装置から情報を取得する情報取得部と、
前記情報取得部が取得した情報を出力する情報出力部を具備する請求項１記載の情報処理システム。
【請求項５】
前記ユーザ識別子保持装置または／および前記電子機器が前記情報出力装置に近づいた場合に、前記ユーザ識別子保持装置または／および前記電子機器が、前記ユーザ識別子または／および前記電子機器識別子に基づいて、情報を選択して、前記情報出力装置に当該情報を送信する指示を前記サーバ装置に対して行い、
前記情報出力装置は、前記サーバ装置から情報を受信し、出力する請求項１記載の情報処理システム。
【請求項６】
請求項１から請求項５いずれか記載の情報処理システムを構成するユーザ識別子保持装置。
【請求項７】
身に装着する請求項６記載のユーザ識別子保持装置。
【請求項８】
指輪の形態を有する請求項７記載のユーザ識別子保持装置。
【請求項９】
請求項１から請求項５いずれか記載の情報処理システムを構成する電子機器。
【請求項１０】
前記情報取得部は、静止画を撮影する機能を有する請求項９記載の電子機器。
【請求項１１】
前記情報取得部は、動画を撮影する機能を有する請求項９記載の電子機器。
【請求項１２】
請求項１から請求項５いずれか記載の情報処理システムを構成するサーバ装置。
【請求項１３】
請求項２から請求項５いずれか記載の情報処理システムを構成する情報出力装置。
【請求項１４】
情報を外部から取得し、ユーザ識別子保持装置からユーザ識別子を受信し、保持している電子機器識別子と前記ユーザ識別子と前記情報を有するユーザ取得情報を前記サーバ装置に送信する電子機器。
【請求項１５】
請求項１４記載の電子機器からユーザ取得情報を受信し、前記ユーザ取得情報が有する電子機器識別子とユーザ識別子に基づいて情報を蓄積する領域を決定し、当該領域に前記情報を蓄積するサーバ装置。
【発明の詳細な説明】
【０００１】
【発明の属する技術分野】
本発明は、外部から取得した情報を特定の領域に蓄積できる情報処理システム等に関する。
【０００２】
【従来の技術】
従来、通信機能を有するデジタルカメラが存在する（特許文献１参照）。かかる従来技術のブロック図を図９に示す。図中、５１はデジタルカメラであり、デジタルカメラ５１は、レンズ５１３と、撮影対象物の画像をデジタル画像として撮影するデジタル画像撮影部５１０と、デジタル画像の画像データを記憶する記憶部５０４と、撮影前後のデジタル画像を表示する表示部５０３と、画像の撮影や記憶部に格納した画像データの消去や記憶部に格納した画像データを、無線部５０１を介して遠隔地にあるデータ処理装置に無線で送信するなどを制御する操作部５０５と、無線部５０１と表示部５０３と記憶部５０４と操作部５０５とデジタル画像撮影部５１０とを制御する制御部５０６とで構成されている。
【０００３】
【特許文献１】
特開平１０−２２４６７６号公報（第２頁、段落番号０００３、第５図）
【０００４】
【発明が解決しようとする課題】
しかし、上記従来技術によれば、デジタルカメラで取得した画像データを送付して蓄積する領域については考慮されておらず、データ送信後、簡単にアクセスすることが困難である。具体的には、例えば、他人のデジタルカメラを借りて用いた場合には、自分のサーバ領域に画像データを蓄積して、後でデータを容易にアクセスして表示させることが困難である。
【０００５】
【課題を解決するための手段】
そこで、ユーザ識別子保持装置と電子機器とサーバ装置を有する情報処理システムであって、ユーザ識別子保持装置は、ユーザを識別する情報であるユーザ識別子を保持しているユーザ識別子保持部と、ユーザ識別子を送信するユーザ識別子送信部を具備し、電子機器は、当該電子機器を識別する情報である電子機器識別子を保持している電子機器識別子保持部と、情報を外部から取得する情報取得部と、ユーザ識別子保持装置からユーザ識別子を受信するユーザ識別子受信部と、電子機器識別子とユーザ識別子と情報を有するユーザ取得情報をサーバ装置に送信するユーザ取得情報送信部を具備し、サーバ装置は、電子機器からユーザ取得情報を受信するユーザ取得情報受信部と、ユーザ取得情報が有する電子機器識別子とユーザ識別子に基づいて、ユーザ取得情報が有する情報を蓄積する領域を決定し、当該情報を当該領域に蓄積する情報蓄積部を具備する情報処理システムにより、ユーザの領域に情報（例えば、デジタルカメラの画像データ）が蓄積され、後で容易にアクセスできる。
【０００６】
【発明の実施の形態】
以下、情報処理システム等の実施形態について図面を参照して説明する。なお、実施の形態において同じ符号を付した構成要素は同様の動作を行うので、再度の説明を省略する場合がある。
【０００７】
図１は、本実施の形態における情報処理システムの概念図である。情報処理システムは、ユーザ識別子保持装置１１と電子機器１２とサーバ装置１３と情報出力装置１４を有する。
【０００８】
ユーザ識別子保持装置１１は、例えば、身に装着することが想定される情報処理装置であり、例えば、指輪やネックレスやブレスレット等の形態を有する。電子機器１２は、デジタルカメラやデジタルムービーや携帯端末などである。サーバ装置１３は、電子機器１２から送信された情報を蓄積する。情報出力装置１４は、サーバ装置１３の情報を取得し、出力する。サーバ装置１３の形態は問わない。
【０００９】
図２は、本実施の形態における情報処理システムのブロック図である。ユーザ識別子保持装置１１は、ユーザ識別子保持部１１０１、ユーザ識別子送信部１１０２を有する。電子機器１２は、電子機器識別子保持部１２０１、情報取得部１２０２、ユーザ識別子受信部１２０３、ユーザ取得情報送信部１２０４を具備する。サーバ装置１３は、ユーザ取得情報受信部１３０１、情報蓄積部１３０２、情報送信部１３０３を具備する。情報出力装置１４は、検出部１４０１、識別情報受信部１４０２、情報受信部１４０３、情報出力部１４０４を具備する。
【００１０】
ユーザ識別子保持部１１０１は、ユーザを識別する情報であるユーザ識別子を保持している。ユーザ識別子のデータ構造や内容は問わない。ユーザ識別子によりユーザを識別できれば良い。ユーザ識別子保持部１１０１は、不揮発性の記録媒体が好適であるが、揮発性の記録媒体でも実現可能である。
【００１１】
ユーザ識別子送信部１１０２は、ユーザ識別子保持部１１０１が保持しているユーザ識別子を外部に送信する。ユーザ識別子の送信は、いわゆるプッシュ型でも、プル型（電子機器１２からの要求による）でも良い。ユーザ識別子送信部１１０２は、例えば、電子タグやブルートゥースなどの近距離無線通信手段で実現されることが好適であるが、情報を送信できる手段であれば他の手段でも良い。
【００１２】
電子機器識別子保持部１２０１は、電子機器を識別する情報である電子機器識別子を保持している。電子機器識別子のデータ構造や内容は問わない。電子機器識別子は、例えば、ＭＡＣアドレスや電子機器の製造番号やＩＰアドレス等である。電子機器識別子保持部１２０１は、不揮発性の記録媒体が好適であるが、揮発性の記録媒体でも実現可能である。
【００１３】
情報取得部１２０２は、情報を外部から取得する。情報取得部１２０２は、例えば、静止画の撮影機能を有する電子回路およびソフトウェアで実現される。かかる場合、電子機器１２は、いわゆるデジタルカメラである。また、情報取得部１２０２は、例えば、動画の撮影機能を有する電子回路およびソフトウェアで実現される。かかる場合、電子機器１２は、いわゆるデジタルムービーである。情報取得部１２０２は、無線通信機能を有する電子回路やソフトウェア等で実現されても良い。かかる場合、電子機器１２は、例えば、携帯電話（携帯端末）である。
【００１４】
ユーザ識別子受信部１２０３は、ユーザ識別子保持装置１１からユーザ識別子を受信する。ユーザ識別子受信部１２０３は、例えば、電子タグリーダーやブルートゥース対応の無線受信機である。
【００１５】
ユーザ取得情報送信部１２０４は、電子機器識別子保持部１２０１が保持している電子機器識別子とユーザ識別子受信部１２０３が受信したユーザ識別子と情報取得部１２０２が取得した情報を有するユーザ取得情報をサーバ装置１３に送信する。ユーザ取得情報のデータ構造等は問わない。ユーザ取得情報送信部１２０４は、通常、無線通信手段で実現されるが、有線の通信手段、放送手段でも実現可能である。
【００１６】
ユーザ取得情報受信部１３０１は、電子機器１２からユーザ取得情報を受信する。ユーザ取得情報受信部１３０１は、通常、無線通信手段で実現されるが、有線の通信手段、放送を受信する手段でも実現可能である。
【００１７】
情報蓄積部１３０２は、ユーザ取得情報が有する電子機器識別子とユーザ識別子に基づいて、ユーザ取得情報が有する情報を蓄積する領域を決定し、当該情報を当該領域に蓄積する。領域とは、例えば、ディレクトリや、フォルダーや、記録媒体上のアドレス等で特定される記録領域である。具体的には、情報蓄積部１３０２は、例えば、ディレクトリ「／ユーザ識別子／電子機器識別子」を生成し、当該ディレクトリに当該情報を蓄積する。なお、既にディレクトリ「／ユーザ識別子／電子機器識別子」が存在する場合は、ディレクトリ生成は行わない。情報蓄積部１３０２は、通常、ＭＰＵやメモリ等から実現され得る。情報蓄積部１３０２が情報を蓄積するための処理手順は、通常、ソフトウェアで実現され、当該ソフトウェアはハードディスク等の記録媒体に記録されている。但し、ハードウェア（専用回路）で実現しても良い。また、情報蓄積部１３０２は、情報を記録する記録媒体（ハードディスクや光ディスク等）を含む場合もあるし、含まない場合もある。
【００１８】
情報送信部１３０３は、ユーザ識別子または／および電子機器識別子に基づいて情報を選択し、当該情報を情報出力装置１４に送信する。情報送信部１３０３は、例えば、受信したユーザ識別子または／および電子機器識別子に基づいて取得する情報が存在するディレクトリを決定する。次に、情報送信部１３０３は、例えば、当該決定したディレクトリに存在する情報をすべて取得し、情報出力装置１４に送信する。
【００１９】
検出部１４０１は、電子機器１２または／およびユーザ識別子保持装置１１が近づいたことを検出する。検出部１４０１は、例えば、電子タグリーダーが読み取った情報を解析して、電子機器１２または／およびユーザ識別子保持装置１１が近づいたか否かを判断する。
【００２０】
識別情報受信部１４０２は、検出部１４０１が電子機器１２または／およびユーザ識別子保持装置１１が近づいたことを検出した場合に、電子機器１２または／およびユーザ識別子保持装置１１から電子機器識別子または／およびユーザ識別子を受信する。識別情報受信部１４０２は、例えば、電子タグリーダーで実現され得る。
【００２１】
情報受信部１４０３は、識別情報受信部１４０２が受信したユーザ識別子または／および電子機器識別子に基づいて、サーバ装置１３から情報を取得する。情報受信部１４０３は、通常、無線または有線の通信手段により実現されるが、放送を受信する手段でも実現可能である。また、情報受信部１４０３が情報を受信するための問合せの情報（情報取得命令）を構成する等の処理手順は、通常、ソフトウェアで実現され、当該ソフトウェアはハードディスク等の記録媒体に記録されている。但し、ハードウェア（専用回路）で実現しても良い。
【００２２】
情報出力部１４０４は、情報受信部１４０３が取得した情報を出力する。出力とは、通常、ディスプレイへの表示を言うが、スピーカーへの音出力、プリンタへの印刷、外部への送信等も含む概念である。情報出力部１４０４は、例えば、液晶ディスプレイとそのドライバーソフトで実現され得る。
【００２３】
以下、本情報処理システムの動作について説明する。まず、ユーザ識別子保持装置１１の動作について説明する。ユーザ識別子保持装置１１は、通常、ユーザ識別子保持部１１０１が保持しているユーザ識別子を外部に送信し続ける。なお、ユーザ識別子保持装置１１は、電子機器１２の指示によりユーザ識別子保持部１１０１が保持しているユーザ識別子を電子機器１２に送信しても良い。
【００２４】
次に、電子機器１２の動作について、図３のフローチャートを用いて説明する。
【００２５】
（ステップＳ３０１）ユーザ識別子受信部１２０３は、ユーザ識別子を受信したか否かを判断する。ユーザ識別子を受信すればステップ３０２に行き、ユーザ識別子を受信しなければステップＳ３０１に戻る。
【００２６】
（ステップＳ３０２）情報取得部１２０２は、情報を取得したか否かを判断する。情報を取得すればステップＳ３０３に行き、情報を取得しなければステップＳ３０１に戻る。
【００２７】
（ステップＳ３０３）ユーザ取得情報送信部１２０４は、電子機器識別子保持部１２０１から電子機器識別子を読み出す。
【００２８】
（ステップＳ３０４）ユーザ取得情報送信部１２０４は、ステップＳ３０１で受信したユーザ識別子、ステップＳ３０２で取得した情報、およびステップＳ３０３で読み出した電子機器識別子を有するユーザ取得情報を構成する。なお、ステップＳ３０２で取得した情報とは、以前に取得して格納している情報を含む場合がある。
【００２９】
（ステップＳ３０５）ユーザ取得情報送信部１２０４は、ステップＳ３０４で構成したユーザ取得情報を送信する。なお、ユーザ識別子または／および電子機器識別子に基づいて、ユーザ取得情報送信部１２０４が情報を送信するサーバ装置が異なる場合がある。
【００３０】
なお、図３のフローチャートにおいて、ユーザ識別子を一度受信した場合に、ステップＳ３０１を二度と通過しない場合もある。また、図３のフローチャートのＳ３０１において、電子機器１２は、ユーザ識別子保持装置１１が近づいたことを検知して、ユーザ識別子を取得する場合もある。
【００３１】
また、図３のフローチャートにおいて、処理の中止や電源オフなどの割り込みにより処理は終了する。
【００３２】
次に、サーバ装置１３の動作について説明する。サーバ装置１３は、電子機器１２から送信されたユーザ取得情報が有するユーザ識別子、および電子機器識別子に基づいて、ユーザ取得情報が有する情報を蓄積する領域を決定し、当該領域に情報を蓄積する。
【００３３】
また、サーバ装置１３は、情報出力装置１４からのアクセスに基づいて、蓄積している情報を情報出力装置１４に送信する。具体的には、情報出力装置１４からユーザ識別子または／および電子機器識別子を有する情報取得命令が送信され、サーバ装置１３はユーザ識別子または／および電子機器識別子に基づいて情報を検索し、当該検索した情報を情報出力装置１４に送信する。なお、情報取得命令の構造は問わない。
【００３４】
次に、情報出力装置１４の動作について、図４のフローチャートを用いて説明する。
【００３５】
（ステップＳ４０１）検出部１４０１が、電子機器１２または／およびユーザ識別子保持装置１１が近づいたか否かを判断する。電子機器１２または／およびユーザ識別子保持装置１１が近づけばステップＳ４０２に行き、電子機器１２または／およびユーザ識別子保持装置１１が近づいていなければステップＳ４０１に戻る。
【００３６】
（ステップＳ４０２）識別情報受信部１４０２は、電子機器１２または／およびユーザ識別子保持装置１１から電子機器識別子または／およびユーザ識別子を受信する。識別情報受信部１４０２は、電子機器１２から電子機器識別子およびユーザ識別子を受信しても良い。なお、識別情報受信部１４０２が電子機器識別子およびユーザ識別子を受信する経路は問わない。
【００３７】
（ステップＳ４０３）情報受信部１４０３は、識別情報受信部１４０２が受信したユーザ識別子または／および電子機器識別子に基づいて情報取得命令を構成する。
【００３８】
（ステップＳ４０４）情報受信部１４０３は、ステップＳ４０３で構成した情報取得命令をサーバ装置１３に送信する。
【００３９】
（ステップＳ４０５）情報受信部１４０３は、サーバ装置１３から情報を受信したか否かを判断する。情報を受信すればステップＳ４０６に行き、情報を受信しなければステップＳ４０５に戻る。
【００４０】
（ステップＳ４０６）情報出力部１４０４は、ステップＳ４０５で取得した情報を出力する。
【００４１】
以下、本実施の形態における情報処理システムの具体的な動作について説明する。本情報処理システムの概念図を図５に示す。本情報処理システムは、ユーザ識別子保持装置１１（１）、１１（２）と電子機器１２（１）、（２）とサーバ装置１３（１）、（２）、（３）と情報出力装置１４を有する。
【００４２】
ユーザ識別子保持装置１１（１）は、ユーザＡが所有する指輪の形状をした装置であり、ユーザＡのユーザを識別する情報「Ａ」を含むユーザ識別子「１３３．１２８．０．１：Ａ」を格納している。ユーザ識別子「１３３．１２８．０．１：Ａ」は、指輪に添付されている電子タグに格納され、常時、送信され続けている。なお、「１３３．１２８．０．１」は、ユーザＡが契約しているプロバイダーのサーバ装置１３（１）のＩＰアドレスである。ユーザ識別子保持装置１１（２）は、ユーザＢ所有のネックレスの形状をした装置であり、ユーザＢのユーザを識別する情報「Ｂ」を含むユーザ識別子「１５５．１３３．０．１：Ｂ」を格納している。ユーザ識別子「１５５．１３３．０．１：Ｂ」は、ネックレスに添付されている電子タグに格納され、常時、送信され続けている。なお、「１５５．１３３．０．１」は、ユーザＢが契約しているプロバイダーのサーバ装置１３（２）のＩＰアドレスである。
【００４３】
電子機器１２（１）は、ユーザＡ所有のビデオムービーであり、現在、子供の運動会の映像を撮影中である。電子機器１２（１）は、「Ａ氏のビデオムービー」という電子機器識別子を保持している。また、電子機器１２（２）は、ユーザＢの友人Ｘ所有のデジタルカメラであり、ユーザＢは、友人Ｘから当該デジタルカメラを借りている。ユーザＢは、電子機器１２（２）を用いて、現在、子供の運動会の静止画を撮影している。電子機器１２（１）は、「Ｘ氏のデジタルカメラ」という電子機器識別子を保持している。
【００４４】
サーバ装置１３（１）は、ユーザＡが契約するプロバイダーのサーバ装置であり、ユーザＡが撮影した動画や音声や静止画の情報は、当該サーバ装置に格納される。また、サーバ装置１３（２）は、ユーザＢが契約するプロバイダーのサーバ装置であり、ユーザＢが撮影した動画や音声や静止画の情報は、当該サーバ装置に格納される。サーバ装置１３（３）は、ユーザＸが契約するプロバイダーのサーバ装置であり、ユーザＸが撮影した動画や音声や静止画の情報は、当該サーバ装置に格納される。
【００４５】
情報出力装置１４は、ユーザ識別子保持装置および／または電子機器が近づいたことを検知し、ユーザ識別子および／または電子機器識別子を各装置から取得し、当該識別子に基づいて、適切なサーバ装置から情報を取得する。以上のような状況において、情報がサーバ装置に蓄積される処理について、具体的に説明する。
【００４６】
今、ユーザＡは、指輪の形状を有するユーザ識別子保持装置１１（１）を身に付けながら、電子機器１２（１）で子供の運動会の姿を撮影中である。かかる場合、電子機器１２（１）は、ユーザ識別子保持装置１１（１）の電子タグに格納されているユーザ識別子「１３３．１２８．０．１：Ａ」を受信し、電子機器１２（１）が保持している電子機器識別子「Ａ氏のビデオムービー」を読み出す。そして、電子機器１２（１）は、「１３３．１２８．０．１」で識別されるサーバ装置１３（１）にアクセスし、ユーザ識別子に含まれる情報である「Ａ」（「Ａ」をユーザ識別子と言っても良い。）、電子機器識別子「Ａ氏のビデオムービー」、および撮影している動画、音声を有するユーザ取得情報をサーバ装置１３（１）に送信する。
【００４７】
サーバ装置１３（１）は、ユーザ識別子「Ａ」、電子機器識別子「Ａ氏のビデオムービー」、および撮影している動画、音声を有するユーザ取得情報を受信する。次に、サーバ装置１３（１）は、受信したユーザ識別子「Ａ」、電子機器識別子「Ａ氏のビデオムービー」から情報を格納するディレクトリを「．．／Ａ／Ａ氏のビデオムービー」に決定する。そして、サーバ装置１３（１）は、ディレクトリを「．．／Ａ／Ａ氏のビデオムービー」に、受信した情報を蓄積する。通常、かかる情報はストリームであり、サーバ装置１３（１）は、ディレクトリを「．．／Ａ／Ａ氏のビデオムービー」に当該ストリーム（運動会の様子を撮影した動画、音声）を蓄積し続ける。なお、ストリームのデータ構造は、ＭＰＥＧ２、ＭＰＥＧ４など、その形式は問わない。
【００４８】
また、ユーザＢは、ネックレスの形状を有するユーザ識別子保持装置１１（２）を身に付けながら、電子機器１２（２）で子供の運動会の姿を撮影中である。かかる場合、電子機器１２（２）は、ユーザ識別子保持装置１１（２）の電子タグに格納されているユーザ識別子「１５５．１３３．０．１：Ｂ」を受信し、電子機器１２（２）が保持している電子機器識別子「Ｘ氏のデジタルカメラ」を読み出す。そして、電子機器１２（２）は、「１５５．１３３．０．１」で識別されるサーバ装置１３（２）にアクセスし、ユーザ識別子に含まれる情報である「Ｂ」（「Ｂ」をユーザ識別子と言っても良い。）、電子機器識別子「Ｘ氏のデジタルカメラ」、および撮影した静止画を有するユーザ取得情報をサーバ装置１３（２）に送信する。
【００４９】
サーバ装置１３（２）は、ユーザ識別子「Ｂ」、電子機器識別子「Ｘ氏のデジタルカメラ」、および撮影した静止画を有するユーザ取得情報を受信する。次に、サーバ装置１３（２）は、受信したユーザ識別子「Ｂ」、電子機器識別子「Ｘ氏のデジタルカメラ」から情報を格納するディレクトリを「．．／Ｂ／Ｘ氏のデジタルカメラ」に決定する。そして、サーバ装置１３（１）は、ディレクトリを「．．／Ｂ／Ｘ氏のデジタルカメラ」に、受信した情報を蓄積する。なお、静止画のデータ構造は問わない。ここで、通常、ユーザＢは、Ｘ氏のデジタルカメラを借りて撮影したが、撮影した情報が蓄積されるサーバ装置は、Ｘ氏のサーバ装置の領域ではなく、Ｂ氏のサーバ装置の領域であることが望ましい。ユーザ識別子保持装置に格納されているユーザ識別子により、情報を取得している者が特定され、当該情報を取得している者のサーバ領域に情報は格納された方が良いからである。但し、ユーザＢがＸ氏のデジタルカメラを借りて撮影した情報が蓄積されるサーバ装置は、Ｘ氏のサーバ装置の領域でも良い。
【００５０】
以上のような処理により、例えば、サーバ装置１３（１）には、図６のようなディレクトリ構造上に、情報（ファイル）が蓄積される。図６によれば、Ａ氏のディレクトリ構造下には、Ａ氏がＡ氏のビデオムービーで撮影した動画等や、Ａ氏のデジタルカメラで撮影した静止画等が蓄積されている。サーバ装置は、蓄積する情報（ファイル）の名前を、日付と、蓄積する情報のシーケンシャルな番号を用いて「日付＿番号」という名称に決定する、とする。なお、「日付＿番号」の番号は、自動的にインクリメントされる。
【００５１】
また、例えば、サーバ装置１３（２）には、図７のようなディレクトリ構造上に、情報（ファイル）が蓄積される。図７によれば、Ｂ氏のディレクトリ構造下には、Ｂ氏がＢ氏のビデオムービーで撮影した動画等や、Ｘ氏のデジタルカメラで撮影した静止画等や、Ｂ氏のデジタルカメラで撮影した静止画等が蓄積されている。ファイル名の生成規則は、例えば、上述した通りである。
【００５２】
次に、情報が情報出力装置に出力される処理について、具体的に説明する。ユーザＡは、子供の運動会の撮影が終了した後に、指輪の形状を有するユーザ識別子保持装置１１（１）を身に付けながら、電子機器１２（１）を情報出力装置１４に近づけたとする。情報出力装置１４は、ユーザ識別子保持装置１１（１）からユーザ識別子「１３３．１２８．０．１：Ａ」を受信し、電子機器１２（１）から電子機器識別子「Ａ氏のビデオムービー」を受信する。なお、情報出力装置１４は、電子タグリーダーを保持している。
【００５３】
次に、情報出力装置１４は、ユーザ識別子「１３３．１２８．０．１：Ａ」、電子機器識別子「Ａ氏のビデオムービー」を用いて、サーバ装置１３（１）から情報を検索する。つまり、情報出力装置１４は、ＩＰアドレス「１３３．１２８．０．１」でアクセス可能なサーバ装置１３（１）にアクセスし、「Ａ／Ａ氏のビデオムービー」というディレクトリから情報を取得する。その結果、図６のディレクトリ構造を有するサーバ装置１３（１）から、情報出力装置１４は、情報「２００２／１０／１２」および情報「２００１／１０／１０」を取得する。そして、ユーザの指示により、選択した情報が出力される。以上の処理により、ユーザＡは、容易に撮影した情報（例えば、子供の運動会の映像等）を取得できる。
【００５４】
また、例えば、ユーザＢは、ネックレスの形状を有するユーザ識別子保持装置１１（２）を情報出力装置１４に近づけた、とする。かかる場合、情報出力装置１４は、ユーザ識別子保持装置１１（２）からユーザ識別子「１５５．１３３．０．１：Ｂ」を受信する。次に、情報出力装置１４は、ＩＰアドレス「１５５．１３３．０．１」でアクセス可能なサーバ装置１３（２）にアクセスし、サーバ装置１３（２）からディレクトリ「Ｂ」以下の情報を取得する。そして、情報出力装置１４は、図８のような情報を出力する。かかる情報の出力態様は、階層的な情報出力態様であり、ディレクトリの階層構造が画面の左側に表示され、カレントディレクトリ以下のファイルやディレクトリが画面の右側に表示される。
【００５５】
以上の処理により、情報出力装置１４は、ユーザ識別子保持装置１１または／および電子機器１２が近づいたことを検知し、ユーザ識別子保持装置１１または／および電子機器１２が保持する識別情報に基づいて情報を取得し、出力することができる。なお、情報出力装置１４は、電子機器１２のみが近づいた場合に、当該電子機器１２が取得したすべての情報をサーバ装置から取得して、出力しても良い。かかる場合、電子機器１２は、例えば、アクセスするサーバ装置のＩＰアドレスや電話番号等を保持している。
【００５６】
以上、本実施の形態によれば、ビデオムービーやデジタルカメラや携帯端末等の電子機器で取得した情報を適切なサーバ装置の適切な領域に蓄積でき、容易に情報出力装置で出力できる。従って、他人の電子機器を借りて撮影した情報なども、自分のサーバ領域に蓄積でき、容易に情報出力装置を用いて出力できる。
【００５７】
なお、本実施の形態において、情報出力装置は、ユーザ識別子保持装置または／および電子機器が近づいたことを検知して、サーバ装置から情報を取得したが、ユーザ識別子や電子機器識別子をユーザが入力しても良い。かかる場合、情報出力装置は、ユーザが入力したユーザ識別子や電子機器識別子に基づいて情報を取得し、出力する。また、情報出力装置は、ユーザの指示によりユーザ識別子保持装置または／および電子機器から送信されたユーザ識別子または／および電子機器識別子を受信して、当該ユーザ識別子または／および電子機器識別子に基づいて情報を取得し、出力しても良い。
【００５８】
また、本実施の形態によれば、サーバ装置が情報を蓄積する領域は、「．．／ユーザ識別子／電子機器識別子」のディレクトリであったが、ユーザ識別子または／および電子機器識別子で識別される領域であれば良い。つまり、情報は、蓄積後、ユーザ識別子または／および電子機器識別子で取得できれば良い。例えば、サーバ装置が情報を蓄積する領域は、「．．／電子機器識別子／ユーザ識別子」のディレクトリでも良い。
【００５９】
また、本実施の形態によれば、情報出力装置が情報を取得して出力する際に、情報出力装置がサーバ装置にアクセスしたが、電子機器がサーバ装置に対して、情報を情報出力装置に送信するように指示しても良い。つまり、サーバ装置に蓄積された情報が情報出力装置に出力されれば、情報を検索するためのユーザ識別子または／および電子機器識別子の送信ルートは問わない。かかる場合の情報処理システムの構成例は、以下のようになる。つまり、ユーザ識別子保持装置と電子機器とサーバ装置と情報出力装置を有する情報処理システムであって、ユーザ識別子保持装置または／および電子機器は、ユーザ識別子または／および電子機器識別子をサーバ装置に送信し、サーバ装置は、ユーザ識別子保持装置または／および電子機器から、ユーザ識別子または／および電子機器識別子を受信する識別情報受信部と、ユーザ識別子または／および電子機器識別子に基づいて情報を選択し、当該情報を情報出力装置に送信する情報送信部を具備し、情報出力装置は、サーバ装置から情報を取得する情報取得部と、情報取得部が取得した情報を出力する情報出力部を具備する情報処理システムである。なお、上記の情報処理システムは、情報を取得して出力するための情報処理システムの構成例である。
【００６０】
また、上記の情報処理システムにおいて、ユーザ識別子保持装置または／および電子機器が情報出力装置に近づいた場合に、ユーザ識別子保持装置または／および電子機器がサーバ装置に対して、ユーザ識別子または／および電子機器識別子に基づいて情報を選択して、情報出力装置に当該情報を送信する指示をしても良い。
【００６１】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した電子機器の動作を実現するプログラムは、コンピュータに、情報を外部から取得する情報取得ステップと、ユーザ識別子保持装置からユーザ識別子を受信するユーザ識別子受信ステップと、保持している電子機器識別子とユーザ識別子と情報を有するユーザ取得情報をサーバ装置に送信するユーザ取得情報送信ステップを実行させるためのプログラムである。なお、かかるプログラムは、電子機器が保有するＲＯＭやＲＡＭ等に蓄積されている。また、本実施の形態において説明したサーバ装置の動作を実現するプログラムは、コンピュータに、電子機器からユーザ取得情報を受信するユーザ取得情報受信ステップと、ユーザ取得情報が有する電子機器識別子とユーザ識別子に基づいて、ユーザ取得情報が有する情報を蓄積する領域を決定するステップと、当該情報を当該領域に蓄積する情報蓄積ステップを実行させるためのプログラムである。
【発明の効果】
以上のように、本発明によれば、電子機器で取得した情報を適切なサーバ装置の適切な領域に蓄積でき、容易に情報出力装置で出力できる。
【図面の簡単な説明】
【図１】実施の形態における情報処理システムの概念図
【図２】実施の形態における情報処理システムのブロック図
【図３】実施の形態における電子機器の動作について説明するフローチャート
【図４】実施の形態における情報出力装置の動作について説明するフローチャート
【図５】実施の形態における情報処理システムの概念図
【図６】実施の形態におけるサーバ装置に蓄積される情報の例を示す図
【図７】実施の形態におけるサーバ装置に蓄積される情報の例を示す図
【図８】実施の形態における情報出力装置における情報の出力例を示す図
【図９】従来技術のデジタルカメラのブロック図
【符号の説明】
１１　ユーザ識別子保持装置
１３　サーバ装置
１４　情報出力装置
１１０１　ユーザ識別子保持部
１１０２　ユーザ識別子送信部
１２０１　電子機器識別子保持部
１２０２　情報取得部
１２０３　ユーザ識別子受信部
１２０４　ユーザ取得情報送信部
１３０１　ユーザ取得情報受信部
１３０２　情報蓄積部
１３０３　情報送信部
１４０１　検出部
１４０２　識別情報受信部
１４０３　情報受信部
１４０４　情報出力部
【図１】
2004139498.tif 000003
【図２】
2004139498.tif 000004
【図３】
2004139498.tif 000005
【図４】
2004139498.tif 000006
【図５】
2004139498.tif 000007
【図６】
2004139498.tif 000008
【図７】
2004139498.tif 000009
【図８】
2004139498.tif 000010
【図９】
2004139498.tif 000011